(57)【要約】【課題】検出の安定化とともに取扱いの容易化を図った盗難防止装置を提供すること。【解決手段】この盗難防止装置は、可撓性を持つ絶縁材（絶縁フィルム１６）上に粘着層２２とともに導体パターン１０、１２を備えて物品８に粘着層により取外し可能に取り付けられ、取外しにより異なる状態を呈するタグ２と、このタグの導体パターンを介して接続された抵抗器２４の抵抗値Ｒを監視し、前記状態の変化に応じた制御出力を発生する制御手段（制御装置４２）と、この制御手段が発生した制御出力により警報を発する警報手段（警報器４６）とを備えている。【選択図】　　　　図１
2004078610.tif 000002
【特許請求の範囲】
【請求項１】
可撓性を持つ絶縁材上に粘着層とともに導体パターンを備えて物品に前記粘着層により取外し可能に取り付けられ、取外しにより異なる状態を呈するタグと、
このタグの前記導体パターンを介して接続された抵抗器の抵抗値を監視し、前記状態の変化に応じた制御出力を発生する制御手段と、
この制御手段が発生した制御出力により警報を発する警報手段と、
を備えたことを特徴とする盗難防止装置。
【請求項２】
前記抵抗器は、前記制御手段と前記タグとを接続する中継部材に設置されていることを特徴とする請求項１記載の盗難防止装置。
【請求項３】
前記導体パターンは複数の折曲部を備えたことを特徴とする請求項１記載の盗難防止装置。
【請求項４】
前記折曲部は前記タグの少なくとも先端側に形成されたことを特徴とする請求項１記載の盗難防止装置。
【発明の詳細な説明】
【０００１】
【発明の属する技術分野】
本発明は、盗難防止の対象である物品に取外し可能に取り付けられたタグの取外しによる異なる状態を検知し、その状態変化により警報を発する盗難防止装置に関する。
【０００２】
【従来の技術】
従来、物品にタグが取外し可能に取り付けられ、タグの取外しによる異なる状態を電気的に検知し、その状態変化により警報を発する盗難防止装置が知られている。例えば、特許第２７９９１３６号「盗難防止装置」では、物品に取外し可能に取り付けられて取外しに際して異なる状態を取り得るタグ、警報を発する警報手段、タグに接続されて異なる状態を検知し、その状態変化に応じて警報手段を制御する制御手段が備えられ、タグは、接着層と、接着層上に形成される導電層と、導電層上に形成される基材とを有し、物品にタグの接着層面を張り付け、制御手段により導電層の抵抗値を検出して異なる状態になったときに警報手段を駆動させ得るものである。
【０００３】
【発明が解決しようとする課題】
ところで、この盗難防止装置において、タグは物品に取り付けられる際に折り曲げられることが予想され、この折曲げで製造時の導電層の抵抗値が変化する場合がある。タグの抵抗値が変化すると、抵抗値変化に対応した電圧降下を想定した電圧調整が必要となる等、制御がしづらくなる。また、各タグ毎に抵抗値が異なると、共通の制御手段で制御する場合には、異常時か否かの判別に誤差を生じる等の不都合がある。また、物品への取付け時には、折曲げ等を生じないように、取扱いに注意を要するものであった。
【０００４】
そして、導電層の抵抗値を検出する場合には、タグを剥がす等の異常時以外に屈曲によって導電層に抵抗値の変化を生じ易く、誤報を生じさせるという不都合がある。例えば、タグを取り付ける物品が柔軟性がある衣類等では、その物品とともにタグが屈曲し易い。その屈曲で導電層の抵抗値に変化を生じると、これが誤作動の原因になる。
【０００５】
そこで、本発明は、検出の安定化とともに取扱いの容易化を図った盗難防止装置を提供することを目的とする。
【０００６】
【課題を解決するための手段】
係る課題を解決した本発明の構成は次の通りである。
【０００７】
本発明の盗難防止装置は、可撓性を持つ絶縁材（絶縁フィルム１６）上に粘着層２２とともに導体パターン１０、１２を備えて物品８に前記粘着層により取外し可能に取り付けられ、取外しにより異なる状態を呈するタグ２と、このタグの前記導体パターンを介して接続された抵抗器２４の抵抗値Ｒを監視し、前記状態の変化に応じた制御出力を発生する制御手段（制御装置４２）と、この制御手段が発生した制御出力により警報を発する警報手段（警報器４６）とを備えたことを特徴とする。
【０００８】
この盗難防止装置では、タグ上の導体パターンは制御手段と抵抗器との間の通電経路であるとともに、物品からの取外しによって異なる状態を呈する取外し検出手段である。制御手段は抵抗器の抵抗値Ｒを監視している。従って、正常時には、抵抗器の抵抗値Ｒによる状態、異常時には、即ち、導体パターンやワイヤーが切断されたとき、抵抗値が無限大の状態、導体パターンやワイヤーが短絡されたとき、抵抗値が零の状態となる。これらの各状態は、制御手段で電気的に検出される。
【０００９】
従って、この盗難防止装置では、タグを剥がす、ワイヤーを切断又は短絡する等の異常時以外に抵抗値の変化はなく、誤動作の発生はない。また、タグを取り付ける物品が柔軟性を持つ衣類等であっても、タグの屈曲が原因で抵抗値変化を呈することがなく、誤動作は生じない。
【００１０】
本発明の盗難防止装置において、前記抵抗器が前記制御手段と前記タグとを接続する中継部材（コネクタケース４）に設置されていることを特徴とする。即ち、中継部材の設置により、タグと抵抗器とを分離することができる。抵抗器と分離すれば、タグは物品の表面に馴染む柔軟なフィルム状の絶縁材で構成できる等、取外しの容易化又は困難化等、所望の形態を容易に実現することができる。そして、タグが折り曲げられた場合にも、抵抗値変化はなく、警報手段の誤作動は生じない。
【００１１】
本発明の盗難防止装置において、前記導体パターンは複数の折曲部１４を備えたことを特徴とする。即ち、タグが剥がされる際に、導体パターンが複数の折曲部を有しているため、該導体パターンが剥離され易くなり、検出精度を高め、警報手段を作動させることができる。
【００１２】
本発明の盗難防止装置において、前記折曲部は前記タグの少なくとも先端側に形成されたことを特徴とする。即ち、導体パターンの折曲部がタグの先端側に形成されているため、導体パターンの剥離性が高められ、検出精度を向上させることができる。
【００１３】
【発明の実施の形態】
図１は、本発明の実施の形態に係る盗難防止装置を示している。この盗難防止装置は、シート状のタグ２、中継部材であるコネクタケース４、制御手段であるとともに警報手段である装置本体６を備えている。
【００１４】
タグ２は盗難を防止すべき物品８に取外し可能に取り付けられるとともに、装着部３によりコネクタケース４に装着される。このタグ２には、物品８からの取外し、即ち、剥離によって異なる状態を呈する取外し検知手段として、印刷等で形成された導体層からなる導体パターン１０、１２が設置されている。各導体パターン１０、１２には、複数の折曲部１４が設けられている。また、装着部３には、装着されるコネクタケース４との離脱を阻止する拘止突部５が形成されている。
【００１５】
このタグ２は、例えば、図２に示すように、絶縁材料からなる可撓性を持つ絶縁材として絶縁フィルム１６が用いられ、この絶縁フィルム１６の表面に剥離可能な絶縁材からなる複数の剥離インク印刷層１８が任意の間隔ｄを設けて不連続的に設置され、これら剥離インク印刷層１８に跨がって導体パターン１０、１２が設置されている。この実施の形態では、各剥離インク印刷層１８の間隔ｄは、剥離インク印刷層１８の長さＬより小さく（Ｌ＞ｄ）設定されているが、剥離インク印刷層１８の長さＬと同等又は大きく（Ｌ≦ｄ）設定してもよい。そして、これら導体パターン１０、１２の表面を覆って粘着層２２が形成されている。従って、タグ２は粘着層２２を以て物品８に取外し可能に取り付けられる。
【００１６】
また、コネクタケース４はタグ２と装置本体６との間に設置される例えば、合成樹脂製の筐体であって、その内部には抵抗器２４が設置されているとともに、ワイヤーとして例えば、導体２６、２８を持つケーブル３０が装置本体６との接続手段であるホーンプラグ３２に接続され、また、導体２６、２８の他端には、タグ２の導体パターン１０、１２を介して抵抗器２４が接続されている。
【００１７】
コネクタケース４には、例えば、図３（Ａ）に示すように、タグ２の装着部３を挿入する挿入部３４を有するとともに、拘止突部５と係合してロック状態を維持するロック機構としてロック部３６が設けられ、このロック部３６にはコネクタケース４の切欠部３８に押し込まれてロック状態を維持する手段としてロック片４０が設けられている。そこで、図３（Ｂ）に示すように、ロック部３６の挿入部３４にタグ２の装着部３を押し込むと、図３（Ｃ）に示すように、ロック部３６がコネクタケース４に挿入され、ロック片４０が切欠部３８に押し込まれることにより、コネクタケース４にタグ２が連結される。
【００１８】
そして、装置本体６にはタグ２側に発生する状態変化を検出し、警報信号を発生する制御装置４２が設置され、この制御装置４２には例えば、マイクロコンピュータが用いられ、初期状態を記憶する記憶手段４４が設置されているとともに、警報信号によって動作する警報手段として警報ブザーや警報ランプからなる警報器４６が接続されている。また、この装置本体６には一定の電圧Ｖを発生する電源装置４８とともに抵抗器５０が設置されており、この抵抗器５０と接地点（ＧＮＤ）との間にはホーンプラグ３２、ケーブル３０、導体２６、２８及び導体パターン１０、１２を介して抵抗器２４が接続され、これら抵抗器５０、２４の直列回路には電源装置４８から一定の電圧Ｖが加えられている。抵抗器５０と抵抗器２４との分圧点ｎに発生する電圧Ｖｎが制御装置４２のＡ／Ｄコンバータ入力部に加えられ、ディジタル値に変換される。
【００１９】
このような構成において、動作を説明すると、正常時には、図４（Ａ）の状態となる。電源装置４８から印加される電圧をＶ、抵抗器５０、２４の抵抗値をＲとし、ケーブル３０及び導体パターン１０、１２の各抵抗値ｒをｒ≪Ｒとし、抵抗値Ｒに対して無視できる程度とすれば、分圧点ｎを通して制御装置４２に加えられる検出電圧Ｖｎは、
Ｖｎ＝Ｖ×（Ｒ／２Ｒ）＝Ｖ／２　　　　　　　・・・（１）
となる。例えば、Ｒ＝２．２〔ｋΩ〕、Ｖ＝３．３〔ボルト〕とすると、Ｖｎ＝１．６５〔ボルト〕となる。
【００２０】
そこで、初期設定では、装置本体６にコネクタケース４を介してタグ２が接続された時点で、分圧点ｎに発生する検出電圧Ｖｎを取り込み、初期状態の電圧値をディジタル値に変換してタグ２毎に記憶手段４４に記憶する。そして、正常時の基準電圧範囲として初期値Ｖｒに正常と見做し得る許容電圧変動幅±ΔＶ（例えば、±０．４〔ボルト〕以内）を加えた電圧範囲（Ｖｒ±ΔＶ）が設定される。この電圧範囲（Ｖｒ±ΔＶ）はディジタル値で記憶手段４４に記憶される。そして、検出電圧Ｖｎがこの電圧範囲（Ｖｒ±ΔＶ）を逸脱したとき、異常と判定し、警報信号を発する。この場合、電圧範囲（Ｖｒ±ΔＶ）は、複数のタグ２を使用する場合、各タグ２毎に個別に定まる値である。
【００２１】
そして、異常時、ケーブル３０が切断されたり、タグ２の取外しによって導体パターン１０、１２の一部又は全部が破断（断線）すると、例えば、図４（Ｂ）のように、抵抗器２４が離脱することになる。このとき、分圧点ｎと接地点（ＧＮＤ）との間の抵抗値Ｒ＝無限大となり、分圧点ｎを通して制御装置４２に加えられる検出電圧Ｖｎは電源装置４８の電圧Ｖとなる。即ち、Ｖｎ＝Ｖであり、Ｖ＝３．３〔ボルト〕の場合には、Ｖｎ＝３．３〔ボルト〕となる。
【００２２】
また、異常時、タグ２の取外しや外部からの操作等により、導体パターン１０、１２やケーブル３０が短絡すると、例えば、図４（Ｃ）のように、抵抗器２４が短絡されて、分圧点ｎと接地点（ＧＮＤ）との間の抵抗値Ｒ＝零となり、分圧点ｎを通して制御装置４２に加えられる検出電圧Ｖｎは零となる。即ち、Ｖｎ＝０である。
【００２３】
このように、正常時にはＶｎ＝Ｖ／２〔ボルト〕、異常時には、Ｖｎ＝Ｖ〔ボルト〕か、Ｖｎ＝０〔ボルト〕となるので、導体パターン１０、１２間の抵抗器２４の抵抗値Ｒを監視し、状態変化を表す分圧点ｎの検出電圧Ｖｎの値により、制御装置４２で正常か異常かを判別することができる。また、これら以外に、検出電圧Ｖｎが初期値Ｖｒと許容電圧変動幅±ΔＶとの加算値である電圧範囲（Ｖｒ±ΔＶ）を逸脱して変動した場合にも異常状態として検出される。
【００２４】
そして、これら異常時には、制御装置４２から警報信号が発せられ、警報器４６は警報信号を受けて警報を発し、異常事態を告知することができる。
【００２５】
また、この実施の形態では、導体パターン１０、１２と絶縁フィルム１６との間に複数の剥離インク印刷層１８が任意の間隔ｄを設けて設置されているので、物品８に取り付けられているタグ２が引き剥がされるとき、導体パターン１０、１２が剥離インク印刷層１８の切り目部分（即ち、間隔ｄの部分）で容易に断裂し、図４（Ｂ）に示す状態変化を発生させ、異常状態の検出精度を高めることができる。
【００２６】
また、絶縁フィルム１６に周回状に形成された導体パターン１０、１２は、複数の折曲部１４を有するとともに、タグ２の先端側に折曲部１４を有するので、取外し時の応力を受けて断裂し易く、異常状態の検出精度が高められている。
【００２７】
そして、タグ２の製造方法としては、例えば、絶縁フィルム１６上に剥離インク印刷層１８を印刷によって形成し、その上に導体パターン１０、１２を印刷により形成した後、剥離インク印刷層１８及び導体パターン１０、１２を覆って粘着層２２を形成するという製造方法により、均一なタグ２を製造することができる。
【００２８】
また、このようなタグ２によれば、粘着層２２が劣化した場合、コネクタケース４からロック解除により劣化したタグ２を取り外し、容易に交換することができ、安定した検出精度を維持することができる。
【００２９】
また、タグ２について、実施の形態として例えば、図５に示すように、装着部３側に本体部５２側から装着部３とほぼ平行を成す一対の補助固定部５４を突出させてもよく、各補助固定部５４にも粘着層２２を形成し、盗難を防止すべき物品８に各補助固定部５４を貼り付けることにより、タグ２の取付け強度を高めることができる。このようにすれば、物品８の操作で不用意にタグ２が剥がれる等の不都合を防止することができる。
【００３０】
また、図１に示す実施の形態では、タグ２の一端に装着部３を形成し、この装着部３が装着されるコネクタケース４に抵抗器２４を設置したが、例えば、図６に示すように、タグ２の他端にも装着部５６及び拘止突部５８を形成し、この装着部５６に装着されて拘止突部５８でロック状態となる補助ケース６０を設置し、その内部に抵抗器２４を設置するようにしてもよい。抵抗器２４は、補助ケース６０内で装着部５６の導体パターン１０、１２の間に接続される。このように構成しても同様にタグ２の剥離等の異常状態を抵抗器２４の抵抗値の監視により電気的に検出することができる。
【００３１】
また、抵抗器２４は、図示しないがタグ２の絶縁フィルム１６上に設置して導体パターン１０、１２間に接続してもよい。このようにすれば、抵抗器２４の抵抗値の監視によって異常状態を検出できるという、同様の効果が期待できるとともに、抵抗器２４を設置するためのケース等が不要になり、盗難防止装置のコンパクト化を図ることができる。
【００３２】
また、導体パターン１０、１２は、タグ２の長手方向に周回する形態としたが、タグ２の幅方向にジグザグ状に屈曲する形態としてもよい。
【００３３】
【発明の効果】
以上説明したように、本発明によれば、次の効果が得られる。
ａ　検出の安定化とともに取扱いの容易化を図った盗難防止装置を実現することができる。
ｂ　物品への取付け時に誤って折り曲げる等しても抵抗器の抵抗値が変化し難いことから、警報手段の駆動を容易に制御でき、また、複数のタグを用いた場合であっても、同様に容易に制御することができる。
ｃ　物品への取付け部分が柔軟性を有する場合であっても、折り曲げた際に抵抗器の抵抗値が変化し難いことから、警報手段の誤作動がなく、信頼性を高めることができる。
【図面の簡単な説明】
【図１】本発明の実施の形態に係る盗難防止装置の概要を示す回路図である。
【図２】タグの構造を示す断面図である。
【図３】コネクタケースとタグとの着脱を示す斜視図であって、（Ａ）は装着前を示す斜視図、（Ｂ）はロック前を示す斜視図、（Ｃ）はコネクタケースとタグとの装着状態を示す斜視図である。
【図４】盗難防止装置の動作を示す回路図であって、（Ａ）は正常時を示す回路図、（Ｂ）は破断（断線）時の動作を示す回路図、（Ｃ）は短絡時の動作を示す回路図である。
【図５】他の実施の形態に係るタグを示す平面図である。
【図６】他の実施の形態に係るタグを示す図である。
【符号の説明】
２　タグ
４　コネクタケース（中継部材）
８　物品
１０、１２　導体パターン
１４　折曲部
１６　絶縁フィルム（絶縁材）
２２　粘着層
２４　抵抗器
４２　制御装置（制御手段）
４６　警報器（警報手段）
【図１】
2004078610.tif 000003
【図２】
2004078610.tif 000004
【図３】
2004078610.tif 000005
【図４】
2004078610.tif 000006
【図５】
2004078610.tif 000007
【図６】
2004078610.tif 000008